(57)【要約】      （修正有）【課題】半陰性植物の水わさびを栽培するのに適度な日照と清涼な栽培水の供給を可能とする水わさび栽培システムを供給する。【解決手段】太陽光利用型植物栽培ハウスの屋根として太陽光パネルを取り付け陽性植物から陰性植物までの多種の植物水耕栽培が出来る様に２０％〜３０％の少ない光量の中で太陽光のエネルギーを最大限に利用し、水は太陽光パネルに降り注ぐ雨水を地下の浄化槽を経て、地下タンクに貯蔵し、少しでも清涼な水にして水わさびを栽培する水槽に供給する。水わさびを栽培する水槽には上部より給水し、下部より排水をし、常時水の流れを創り、更に、水わさび一株ずつ専用の栽培ポットに活け、栽培ポット内の川砂上面が水面より２ｃｍ程低くなるよう水槽に沈め、水槽の排水とは別に栽培ポットの底部より排水をし、栽培ポット毎に上から下へ水の流れを創る。【選択図】図１
2018046749.tif 000002
【特許請求の範囲】
【請求項１】
円筒型水わさび栽培ポットは本体と円筒型水わさび栽培ポット底部下面排水雄カプラとフィルタカバーの三つで構成される構造。
【請求項２】
前記円筒型水わさび栽培ポットの本体には最上部側面に複数の栽培水が出入する穴の上部栽培水入出穴が有り、前記上部栽培水入出穴の最下部点に川砂上面をある程度近づけても川砂が前記上部栽培水入出穴より流出し辛く、前記川砂上面と前記栽培水の水面の深さも調整し易く、前記栽培水の水位がある範囲内で上下しても前記円筒型水わさび栽培ポットの中に前記栽培水が流入出する構造の請求項１記載の前記円筒型水わさび栽培ポット。
【請求項３】
前記円筒型水わさび栽培ポットの底部にウールマット（フィルタ）を詰め、更に前記フィルタカバーにも前記ウールマット（フィルタ）を詰め、前記川砂の流出を防ぎ、前記栽培水だけを通し、前記円筒型水わさび栽培ポットの中の前記栽培水が前記円筒型水わさび栽培ポット底部下面排水雄カプラを通し排水する構造の請求項１と請求項２記載の前記円筒型水わさび栽培ポット。
【請求項４】
前記円筒型水わさび栽培ポットの底部下面に取り付ける前記円筒型水わさび栽培ポット底部下面排水雄カプラは逆円錐台の形状をしていて前記栽培水が下に流れる様、中空の構造をしている。
逆円錐台の傾斜外面の途中に円筒型水わさび栽培ポット底部下面排水雄カプラＯリングを取付、円筒型水わさび栽培ポット下方排水雌カプラと連結した時に前記円筒型水わさび栽培ポットの自重で前記円筒型水わさび栽培ポット底部下面排水雄カプラＯリングが潰れ防水の役目を果たす。
更に、前記円筒型水わさび栽培ポットの底部下面に取りついている前記円筒型水わさび栽培ポット底部下面排水雄カプラを真上から差し込み前記円筒型水わさび栽培ポット下方排水雌カプラと連結した時に前記円筒型水わさび栽培ポットを前記円筒型水わさび栽培ポット底部下面排水雄カプラと前記円筒型水わさび栽培ポット下方排水雌カプラはインロータイプでしっかり連結され支持する構造です。
取り外す時は、前記円筒型水わさび栽培ポットの自重で前記円筒型水わさび栽培ポット底部下面排水雄カプラと前記円筒型水わさび栽培ポット下方排水雌カプラの連結を維持しているだけで、前記円筒型水わさび栽培ポットを真上に持ち上げる事で簡単に分離し取り外せる。
そして、前記円筒型水わさび栽培ポット底部下面排水雄カプラは逆円錐台の上部に雄ネジが有り、前記円筒型水わさび栽培ポットの底部下面に固定され、前記円筒型水わさび栽培ポット下方排水雌カプラも受け部の下部に雄ネジが有り、排水管に固定される構造の請求項１と請求項３記載の前記円筒型水わさび栽培ポット底部下面排水雄カプラと前記円筒型水わさび栽培ポット下方排水雌カプラ。
【請求項５】
前記円筒型水わさび栽培ポットの底部の前記フィルタカバーの前記ウールマット（フィルタ）の上に大粒軽石、その上に小粒軽石、更に、その上に川砂中目を重ね、前記わさび苗を前記川砂中目に活け、水わさびを栽培する栽培方法。
【請求項６】
本格的な前記水わさびの栽培においてわさび苗の一株毎を専用の前記円筒型水わさび栽培ポットに活け、複数の前記円筒型水わさび栽培ポットを前記円筒型水わさび栽培ポット底部下面排水雄カプラと前記円筒型水わさび栽培ポット下方排水雌カプラで連結する事で前記川砂上面と前記栽培水の水面の深さが１５ｍｍ〜２０ｍｍに成る様に水槽に沈め栽培する栽培方法。
【請求項７】
前記円筒型水わさび栽培ポットと前記栽培水の水面をある範囲内に一定に保つことが出来る前記水槽で構成される請求項５と請求項６記載の水わさびの栽培システム。
【請求項８】
前記円筒型水わさび栽培ポットは水圧と落差を利用し、上から下へと水が流れ栽培ポット毎に前記円筒型水わさび栽培ポット底部下面排水雄カプラと前記円筒型水わさび栽培ポット下方排水雌カプラを通り排水され、前記水槽は水圧と落差を利用し、上から下へと水が流れ前記円筒型水わさび栽培ポットとは別の流路で排水される請求項７記載の前記水わさびの栽培システム。
【発明の詳細な説明】
【技術分野】
【０００１】
本発明は、太陽光利用型植物栽培ハウスの屋根（特許文献  特開２０１４−２０１９８７）として太陽光パネルを取り付け陽性植物から陰性植物までの多種の植物水耕栽培が出来る様に２０％〜３０％の少ない光量の中で太陽光のエネルギーを最大限に利用し、水は太陽光パネルに降り注ぐ雨水を地下５ｍの浄化槽を経て、地下貯蔵タンクに貯蔵し、一年を通して１５℃〜１８℃の少しでも清涼な水にして水わさびを栽培する水槽に供給され、浄化槽と地下貯蔵タンク合わせて貯蔵容量８０００Ｌを超えると古い水から地下貯蔵タンクよりオーバーフローして排水する。
更に、地下貯蔵タンクに貯蔵しただけでは不十分の季節にはチラー等を利用し、１６℃〜１８℃に水温の制御をする。
植物栽培ハウス内の気温は植物栽培ハウス内を循環している水が温度制御されている為、ある程度は制御されるが、補助的に暖房や換気やミストを利用して８℃〜２０℃に制御する。
これらの栽培システムで栽培水は７月と８月を除いた一年を通して水温が１６℃〜１８℃に管理が出来る為、水わさびは種から栽培をすると約２年間の栽培期間が必要ですが、わさび苗を９月から６月迄栽培をして収穫し、７月，８月の暑い時期は６月の収穫と同時に株分けしたわさび苗を環境制御できる育苗室にて育苗する事で、１年間で収穫する水わさびの栽培が可能です。
【０００２】
水わさびを栽培する水槽には栽培水を端上部より給水し、逆端下部より排水をし、常時水の流れを創り、更に、水わさび一株ずつ専用の栽培ポットに活け、栽培ポット内の川砂上面が栽培水面より１５ｍｍ〜２０ｍｍ程低くなるよう水槽に沈め、水槽の排水とは別に栽培ポットの底部より排水をし、栽培ポット毎にポット内を上から下へ水の流れを創る。
それによりわさびの根に直接栽培水の中に含まれた新鮮な酸素やミネラルが常時供給される。
水槽及び栽培ポットより排水された水は地下５ｍの浄化槽に戻し、浄化槽と地下貯蔵タンクの貯蔵容量は合わせて８０００Ｌで植物栽培ハウスでの使用量から換算すると浄化槽に入ってから地下貯蔵タンクから出ていくまで約１４時間貯蔵し、年間を通して１５℃〜１８℃で循環利用する。
更に、エコ栽培システムと植物栽培ハウス（特許文献  特願２０１６−０７３６７２）では貯蔵容量８０００Ｌが５棟を一つの規模の単位としているので、４０ｔの雨水を貯蔵できる。
この植物栽培工場の４０ｔの水が２８９万箇所で矢木沢ダムが１００％の貯水量に匹敵し、太陽光発電量２兆ｋＷ／年に当たる植物栽培工場を３０００万箇所が最終目標で約１０倍に成り、これからの日本でも水不足の時代を予測すると大事な水資源になる。
【背景技術】
【０００３】
エコ栽培システムと植物栽培ハウス（特許文献  特願２０１６−０７３６７２）の太陽光パネルの屋根（特許文献  特開２０１４−２０１９８７）の下で太陽光エネルギーの光量が２０％〜３０％位の中で植物栽培をしているシステムの一部だけを利用して最低限のコストで水わさびの栽培をする。
例えば、植物栽培万能ポットと収納トレー（特許文献  特許第５９８１４９４号）でイチゴ栽培をしているシステムの一部を利用して同時に水わさびの栽培をする。
そして、イチゴ栽培と水わさびはどちらも半陰性植物で、栽培レシピには共通するところが非常に多い。
【０００４】
エコ栽培システムと植物栽培ハウス（特許文献  特願２０１６−０７３６７２）は太陽光パネルの屋根（特許文献  特開２０１４−２０１９８７）に降る雨を集め、植物栽培万能ポットと収納トレー（特許文献  特許第５９８１４９４号）で植物栽培をするシステムである為、植物栽培ハウス内を水が常時循環している一部を利用して水わさびの栽培をする水槽を設け、その水槽の中に複数の多くの専用の水わさびの栽培ポットを沈め、水わさびの栽培をする。
【先行技術文献】
【特許文献】
【０００５】
【特許文献１】特開昭５６−５１９３１号公報
【特許文献２】特開昭５８−９８０１７号公報
【特許文献３】実用新案開昭６３−１２４３５７号公報
【特許文献４】特開平４−２１０５３３号公報
【特許文献５】特開平５−２２７８３１号公報
【特許文献６】特開平１０−２４８４１７号公報
【特許文献７】特開平１１−１５１０４９号公報
【特許文献８】特開２０００−３０００６０号公報
【特許文献９】特開２００１−１４５４２１号公報
【特許文献１０】特開２００７−６０９３９号公報
【発明の概要】
【発明が解決しようとする課題】
【０００６】
半陰性植物の水わさびを栽培するには適度な日照と清涼な栽培水が必要で、栽培水は一年を通して水温が１６℃〜１８℃が最適で、栽培環境を如何にして整えるかが課題です。
【０００７】
水わさびの栽培期間が、通常では約２年間とされて居るところを１年間で栽培する事がもう一つの課題です。
【課題を解決するための手段】
【０００８】
太陽光利用型植物栽培ハウスの屋根として太陽光パネルを取り付け陽性植物から陰性植物までの多種の植物水耕栽培が出来る様に２０％〜３０％の少ない光量の中で太陽光のエネルギーを最大限に利用し、水は太陽光パネルに降り注ぐ雨水を地下５ｍの浄化槽を経て、地下貯蔵タンクに貯蔵し、一年を通して１５℃〜１８℃の少しでも清涼な水にして水わさびを栽培する水槽に供給する。
更に、地下貯蔵タンクに貯蔵しただけでは不十分の季節にはチラー等を利用し、１６℃〜１８℃に水温の制御をする。
植物栽培ハウス内の気温は植物栽培ハウス内を循環している水が温度制御されている為、ある程度は制御されるが、補助的に暖房や換気やミストを利用して制御する。
これらの栽培システムで栽培水は一年を通して水温が１６℃〜１８℃に管理が出来る為、水わさびは種から栽培をすると約２年間の栽培期間が必要ですが、わさび苗を９月から６月迄栽培をして収穫し、７月，８月の暑い時期は６月に収穫と同時に株分けしたわさび苗を環境制御できる育苗室にて育苗する事で、１年間で収穫する水わさびの栽培が可能です。
【０００９】
水わさびを栽培する水槽には上部より給水し、下部より排水をし、常時水の流れを創り、更に、水わさび一株ずつ専用の栽培ポットに活け、栽培ポット内の川砂上面が水面より１５ｍｍ〜２０ｍｍ程低くなるよう水槽に沈め、水槽の排水とは別に栽培ポットの底部より排水をし、栽培ポット毎にポット内を上から下へ水の流れを創る。
水槽及び栽培ポットより排水された水は地下浄化槽に戻し、循環利用する。
【発明の効果】
【００１０】
本発明は、エコ栽培システムと植物栽培ハウス（特許文献  特願２０１６−０７３６７２）は太陽光パネルの屋根（特許文献  特開２０１４−２０１９８７）に降る雨を集め、水を循環させ植物栽培をするシステムである為、その水を利用し、植物栽培ハウス内で主に栽培する植物には全く影響なしで水わさびを栽培できる。
逆に水わさびの栽培システムを導入する事で植物栽培ハウス内の環境の水温・気温・湿度が１年中一定の状態を保て植物栽培ハウス内で植物栽培万能ポットと収納トレー（特許文献  特許第５９８１４９４号）で主に栽培する植物（特に栽培環境が似ているイチゴ）にも非常に良い。
【００１１】
本発明は、エコ栽培システムと植物栽培ハウス（特許文献  特願２０１６−０７３６７２）の水路の途中の一部を利用して水路用配管の代わりに栽培用水槽を設け水わさびの栽培ができるので非常に低コストの設備投資で栽培ができる。
【００１２】
本発明は、水わさびの栽培は非常に難しいと言われているが、この水わさびの栽培は栽培環境を整えれば簡単で栽培レシピも難しくなく多くの老若男女の人が色々な場所で栽培ができる。
【００１３】
本発明は、水わさびは収穫するのに約２年間かかるところを１年間で収穫できると言う事は１年を過ぎれば年中新鮮な取り立ての美味しい茎・葉・花・根・わさびが収穫したい時にいつでも加工品を含め地産地消で供給できる。
【００１４】
本発明は、水わさびの栽培をする事で大量の水を必要とし、貯蔵容量も多くなる。
水槽及び栽培ポットより排水された水は地下５ｍの浄化槽に戻し、浄化槽と地下貯蔵タンクの貯蔵容量は合わせて８０００Ｌで植物栽培ハウス１棟での使用量６００Ｌ／時から換算すると浄化槽に入ってから地下貯蔵タンクから出ていくまで約１４時間貯蔵し、年間を通して１５℃〜１８℃で循環利用する。
更に、エコ栽培システムと植物栽培ハウス（特許文献  特願２０１６−０７３６７２）は貯蔵容量８０００Ｌが５棟を一つの規模の単位としているので、４０ｔの雨水を貯蔵できる。
この植物栽培工場の４０ｔの水が２８９万箇所で矢木沢ダムが１００％の貯水量に匹敵し、太陽光発電量２兆ｋＷ／年に当たる植物栽培工場を３０００万箇所が最終目標で約１０倍に成り、これからの日本でも水不足の時代を予測すると大事な水資源になる。
【発明を実施するための形態】
【００１５】
以下では、本発明の実施の形態について図を参照して説明する。
図１は円筒型水わさび栽培ポット１の全体構成図で、円筒型水わさび栽培ポット１と円筒型水わさび栽培ポット底部下面排水雄カプラ２とフィルタカバー５の三つで構成する。
【００１６】
図１の円筒型水わさび栽培ポット１の最上部側面に複数の上部栽培水入出穴４が円に沿って並んで空いていて栽培水９が流入出する。
円筒型水わさび栽培ポット１の底部下面には円筒型水わさび栽培ポット底部下面排水雄カプラ２が取り付き常に開放状態で、水圧と落差で円筒型水わさび栽培ポット１の栽培水９を上から下へと排水する。
フィルタカバー５は円筒型水わさび栽培ポット１の底部にウールマット（フィルタ）３を敷き、その上に載るように円筒型水わさび栽培ポット１の内側に突起しているストッパーで固定され、更に、フィルタカバー５の真ん中の落ち込んだ凹みにウールマット（フィルタ）３を敷き、フィルタカバー側面と底面水抜き穴５Ａを通り、川砂中目８が排水と一緒に流れ出るのを防ぐ。
【００１７】
図２は円筒型水わさび栽培ポット底部下面排水雄カプラ２と円筒型水わさび栽培ポット下方排水雌カプラ２４の平面構成図で円筒型水わさび栽培ポット１の底部下面に取り付ける円筒型水わさび栽培ポット底部下面排水雄カプラ２は逆円錐台の形状をしていて栽培水９が下に流れる様、中空の構造をしている。
【００１８】
図２で、円筒型水わさび栽培ポット底部下面排水雄カプラ２の逆円錐台の傾斜外面の途中に円筒型水わさび栽培ポット底部下面排水雄カプラＯリング２Ａを取付、円筒型水わさび栽培ポット下方排水雌カプラ２４と連結した時に円筒型水わさび栽培ポット１の自重で円筒型水わさび栽培ポット底部下面排水雄カプラＯリング２Ａが潰れ防水の役目を果たす。
更に、円筒型水わさび栽培ポット１の底部下面に取りついている円筒型水わさび栽培ポット底部下面排水雄カプラ２を真上から差し込み円筒型水わさび栽培ポット下方排水雌カプラ２４と連結した時に円筒型水わさび栽培ポット１を円筒型水わさび栽培ポット底部下面排水雄カプラ２と円筒型水わさび栽培ポット下方排水雌カプラ２４はインロータイプでしっかり連結され支持する構造です。
取り外す時は、円筒型水わさび栽培ポット１が自重で円筒型水わさび栽培ポット底部下面排水雄カプラ２と円筒型水わさび栽培ポット下方排水雌カプラ２４の連結を維持しているだけで、円筒型水わさび栽培ポット１を真上に持ち上げる事で円筒型水わさび栽培ポット底部下面排水雄カプラ２と円筒型水わさび栽培ポット下方排水雌カプラ２４が簡単に分離し、取り外せる。
円筒型水わさび栽培ポット１を取り外したら直ぐに円筒型水わさび栽培ポット下方排水雌カプラメクラ栓２５で円筒型水わさび栽培ポット下方排水雌カプラ２４に蓋をする。
【００１９】
図２で、円筒型水わさび栽培ポット底部下面排水雄カプラ２は逆円錐台の上部に雄ネジが有り、円筒型水わさび栽培ポット１の底部下面に固定され、円筒型水わさび栽培ポット下方排水雌カプラ２４も受け部の下部に雄ネジが有り、排水が出来る様に中空になっていて円筒型水わさび栽培ポット排水路１３の排水管に固定される構造である。
【００２０】
図３は円筒型水わさび栽培ポット１の栽培方法の全体構成図で、円筒型水わさび栽培ポット１の底部のフィルタカバー５のウールマット（フィルタ）３の上に大粒軽石６、その上に小粒軽石７、更に、その上に川砂中目８を重ね、わさび苗を川砂中目８に活け、水わさび１１を栽培する。
【００２１】
図３は本格的な水わさび１１の栽培においてわさび苗の一株毎に専用の円筒型水わさび栽培ポット１に活け、複数の円筒型水わさび栽培ポット１を円筒型水わさび栽培ポット底部下面排水雄カプラ２と円筒型水わさび栽培ポット下方排水雌カプラ２４で連結する事で川砂上面８Ａと栽培水９の水面の深さが川砂上面よりの栽培水の水位１０の１５ｍｍ〜２０ｍｍに成る様に水槽に沈め栽培する。
【００２２】
図３で、円筒型水わさび栽培ポット１の本体には最上部側面に複数の栽培水が出入する穴の上部栽培水入出穴４が有り、上部栽培水入出穴４の最下部点に川砂上面８Ａをある程度近づけても川砂中目８が上部栽培水入出穴４より流出し辛く、川砂上面８Ａと栽培水９の水面の深さも調整し易く、栽培水９の水位がある範囲内で上下しても円筒型水わさび栽培ポット１の中に栽培水９が流入出する。
【００２３】
図４は水わさび１１の栽培方法の基本全体構成図で、円筒型水わさび栽培ポット１と栽培水９の水面をある範囲内に一定に保つことが出来る水槽１２で構成の水わさび１１の栽培システムです。
【００２４】
図４で、水槽１２の左側の上より栽培水９が水槽給水１４で供給され、水圧と落差で水槽１２の右側の下に水槽排水口１６より水槽内の栽培水の流れ１８の矢印の様に排水する。
【００２５】
図４で、円筒型水わさび栽培ポット１は水圧と落差を利用し、上から下へと水が流れ円筒型水わさび栽培ポット１毎に円筒型水わさび栽培ポット底部下面排水雄カプラ２と円筒型水わさび栽培ポット下方排水雌カプラ２４を通り、更に、円筒型水わさび栽培ポット排水路１３を通り円筒型水わさび栽培ポット排水路排水口１７より円筒型水わさび栽培ポット内の栽培水の流れ１９の矢印の様に排水する。
【００２６】
図５は水わさび１１の栽培方法の詳細全体構成図で、栽培水９は地下５ｍの浄化槽を経て、地下貯蔵タンクに貯蔵し、一年を通して１５℃〜１８℃の少しでも清涼な水にして水わさび１１を栽培する水槽１２に供給する。
栽培水９は地下貯蔵タンクよりポンプにより汲み上げられ、水槽１２の川砂上面よりの栽培水の水位１０の１５ｍｍ〜２０ｍｍを維持する為、フロート式自動給水器２１により水槽１２に供給され一定の水位を保つ。
水槽排水口１６の排水は水槽排水口ストップバルブ２３にて流量調整され、円筒型水わさび栽培ポット排水路排水口１７の排水は円筒型水わさび栽培ポット排水路排水口ストップバルブ２２にて流量調整される。
【００２７】
図５で、地下貯蔵タンクよりポンプにより汲み上げられた栽培水９はミスト供給配管１５にも供給され、植物栽培ハウス内の気温の低下と湿度を保つ役目と水わさび１１の葉や茎の新鮮さを保つ役目も果たす。
更に、ミストは水槽１２の真上より噴霧される為、ほとんどの栽培水９の貯水量は減少しない。
【００２８】
図５で、固形肥料２０は円筒型水わさび栽培ポット１毎に川砂上面８Ａの端にティーパックの袋の中に入れ、ひもを上部栽培水入出穴４に縛り固定し供給する。
【００２９】
図６はエコ栽培システムと植物栽培ハウス（特許文献  特願２０１６−０７３６７２）の平面図でエコ栽培システムと植物栽培ハウス（特許文献  特願２０１６−０７３６７２）のエコ栽培システムへの給水管約２０ｍ２６とエコ栽培システムと植物栽培ハウス（特許文献  特願２０１６−０７３６７２）のエコ栽培システムからの排水管約２０ｍ２７の配管をそれぞれ水槽１２（２０ｍ）に置き換えて水わさび１１の栽培をする。
エコ栽培システムへの給水側の水槽１２（２０ｍ）は植物栽培ハウスの北側地上２ｍ位を走り、排水側の水槽１２（２０ｍ）は南側の床上を走り、それぞれの水槽１２で水わさび１１の栽培をする。
この時、水槽１２（２０ｍ）２本以外は全て既存のエコ栽培システムと植物栽培ハウス（特許文献  特願２０１６−０７３６７２）であり、非常に低コストで水わさび１１の栽培が出来る。
【００３０】
図６で、太陽光利用型植物栽培ハウスの屋根（特許文献  特開２０１４−２０１９８７）として太陽光パネルを取り付け陽性植物から陰性植物までの多種の植物水耕栽培が出来る様に２０％〜３０％の少ない光量の中で太陽光のエネルギーを最大限に利用し、水は太陽光パネルに降り注ぐ雨水を地下５ｍの浄化槽を経て、地下貯蔵タンクに貯蔵し、一年を通して１５℃〜１８℃の少しでも清涼な水にして水わさび１１を栽培する水槽１２に供給され、浄化槽と地下貯蔵タンク合わせて貯蔵容量８０００Ｌを超えると古い水から地下貯蔵タンクよりオーバーフローして排水する。
更に、地下貯蔵タンクに貯蔵しただけでは不十分の季節にはチラー等を利用し、１６℃〜１８℃に水温の制御をする。
植物栽培ハウス内の気温は植物栽培ハウス内を循環している水が温度制御されている為、ある程度は制御されるが、補助的に暖房や換気やミスト供給配管１５を利用して８℃〜２０℃に制御する。
これらの栽培システムで栽培水９は７月と８月を除いた一年を通して水温が１６℃〜１８℃に管理が出来る為、水わさび１１は種から栽培をすると約２年間の栽培期間が必要ですが、わさび苗を９月から６月迄栽培をして収穫し、７月，８月の暑い時期は６月に収穫と同時に株分けしたわさび苗を環境制御できる育苗室にて円筒型水わさび栽培ポット１で育苗する事で、１年間で収穫する水わさび１１の栽培が可能です。
【００３１】
図６で、水わさび１１を栽培する水槽１２には上部より給水し、下部より排水をし、常時水の流れを創り、更に、水わさび１１一株ずつ専用の円筒型水わさび栽培ポット１に活け、円筒型水わさび栽培ポット１内の川砂上面８Ａが川砂上面よりの栽培水の水位１０の１５ｍｍ〜２０ｍｍ程低くなるよう水槽１２に沈め、水槽１２の排水とは別に円筒型水わさび栽培ポット１の底部より排水をし、円筒型水わさび栽培ポット１毎にポット内を上から下へ水の流れを創る。
それによりわさびの根に直接栽培水９の中に含まれた新鮮な酸素やミネラルが常時供給される。
水槽１２及び円筒型水わさび栽培ポット１より排水された水は地下５ｍの浄化槽に戻し、浄化槽と地下貯蔵タンクの貯蔵容量は合わせて８０００Ｌで植物栽培ハウスでの使用量から換算すると浄化槽に入ってから地下貯蔵タンクから出ていくまで約１４時間貯蔵し、年間を通して１５℃〜１８℃で循環利用する。
【００３２】
図６で、栽培水９を地下５ｍの浄化槽を経て、地下貯蔵タンクに貯蔵し、年間を通して１５℃〜１８℃で循環利用できる根拠は日本気象協会資料により、地域差はあるが一つの例として銚子の地中温度の年間月別平均温度の変動より地下５ｍが一年を通して１５℃〜１８℃である事を表１に示す。
【表１】
2018046749.tif 000003
表１
【００３３】
図６で、エコ栽培システムと植物栽培ハウス（特許文献  特願２０１６−０７３６７２）は太陽光パネルの屋根（特許文献  特開２０１４−２０１９８７）に降る雨を集め、水を循環させ植物栽培をするシステムである為、その水を利用し、植物栽培ハウス内で主に栽培する植物には全く影響なしで水わさび１１を栽培できる。
逆に水わさび１１の栽培システムを導入する事で植物栽培ハウス内の環境の水温・気温・湿度が１年中一定の状態を保て植物栽培ハウス内で主に栽培する植物（特に栽培環境が似ているイチゴ）にも非常に良い。
【００３４】
図６で、水わさび１１の栽培は非常に難しいと言われているが、この水わさび１１の栽培は栽培環境を整えれば簡単で栽培レシピ通りに栽培をすれば難しくなく多くの老若男女の人が色々な場所で栽培ができる。
【００３５】
図６で、水わさび１１は収穫するのに約２年間かかるところを１年間で収穫できると言う事は１年を過ぎれば年中新鮮な取り立ての美味しい茎・葉・花・根・わさびが収穫したい時にいつでも加工品を含め地産地消で供給できる。
【図面の簡単な説明】
【００３６】
【図１】図１は円筒型水わさび栽培ポットの全体構成図である。
【図２】図２は円筒型水わさび栽培ポットの雄雌カプラの平面構成図である。
【図３】図３は円筒型水わさび栽培ポットの栽培方法の全体構成図である。
【図４】図４は水わさびの栽培方法の基本全体構成図である。
【図５】図５は水わさびの栽培方法の詳細全体構成図である。
【図６】図６はエコ栽培システムと植物栽培ハウス（特許文献  特願２０１６−０７３６７２）の平面図である。
【符号の説明】
【００３７】
１      円筒型水わさび栽培ポット
２      円筒型水わさび栽培ポット底部下面排水雄カプラ
２Ａ      円筒型水わさび栽培ポット底部下面排水雄カプラＯリング
３      ウールマット（フィルタ）
４      上部栽培水入出穴
５      フィルタカバー
５Ａ      フィルタカバー側面と底面水抜き穴
６      大粒軽石
７      小粒軽石
８      川砂中目
８Ａ      川砂上面
９      栽培水
１０    川砂上面よりの栽培水の水位
１１    水わさび
１２    水槽
１３    円筒型水わさび栽培ポット排水路
１４    水槽給水
１５    ミスト供給配管
１６    水槽排水口
１７    円筒型水わさび栽培ポット排水路排水口
１８    水槽内の栽培水の流れ
１９    円筒型水わさび栽培ポット内の栽培水の流れ
２０    固形肥料
２１    フロート式自動給水器
２２    円筒型水わさび栽培ポット排水路排水口ストップバルブ
２３    水槽排水口ストップバルブ
２４    円筒型水わさび栽培ポット下方排水雌カプラ
２５    円筒型水わさび栽培ポット下方排水雌カプラメクラ栓
２６    エコ栽培システムと植物栽培ハウス（特許文献  特願２０１６−０７３６７２）のエコ栽培システムへの給水管約２０ｍ
２７    エコ栽培システムと植物栽培ハウス（特許文献  特願２０１６−０７３６７２）のエコ栽培システムからの排水管約２０ｍ
【図１】
2018046749.tif 000004
【図２】
2018046749.tif 000005
【図３】
2018046749.tif 000006
【図４】
2018046749.tif 000007
【図５】
2018046749.tif 000008
【図６】
2018046749.tif 000009